(57)【要約】【課題】外形の異なるテーブルタップも装着可能なテーブルタップ用ホルダーを提供する。【解決手段】ホルダー本体１の前面にはタップ本体６１の係止孔６７と凹凸係止する弾性係止片１４を設けてある。またホルダー本体１には、ホルダー本体１を被取付部にねじ止めするためのねじを挿通するねじ挿通孔２ａ，８や、棒状の被取付部に引っ掛けてホルダー本体１を取り付けるための吊り具を保持する吊り具保持部２０が設けてある。またホルダー本体１の前面の裏側には、差込孔１１を有するリブ１０や、先端縁の両側部に一対の爪１３を有する弾性係止片１２が突設されており、これらの差込孔１１や爪１３を用いて、磁性体からなる被取付部に磁着されるマグネット、又は、机などの板状の被取付部に取り付けるための取付基台をホルダー本体１に着脱自在に取り付けることができる。【選択図】      図１
2004221034.tif 000002
【特許請求の範囲】
【請求項１】
コンセント口を有するテーブルタップ本体を保持するホルダー本体に、テーブルタップ本体のホルダー本体が取着される部位に設けた被係止部と凹凸係止する係止手段を設けるとともに、ホルダー本体を被取付部に取り付けるための取付部材を保持する保持手段を設けて成ることを特徴とするテーブルタップ用ホルダー。
【請求項２】
前記被係止部はテーブルタップ本体に設けた係止孔からなり、前記係止手段は前記係止孔に対応するホルダー本体の部位に突設され、前記係止孔と係止する弾性係止片からなることを特徴とする請求項１記載のテーブルタップ用ホルダー。
【請求項３】
前記被係止部はテーブルタップ本体に突設された弾性係止片からなり、前記係止手段は弾性係止片に対応するホルダー本体の部位に設けられて、前記弾性係止片と係止する係止孔からなることを特徴とする請求項１記載のテーブルタップ用ホルダー。
【請求項４】
ホルダー本体におけるテーブルタップ本体との対向面には１乃至複数対の前記係止手段が設けられ、対をなす係止手段は前記対向面上の中心点に対して対称な位置に配置され、前記中心点に対して対称な形状に形成されたことを特徴とする請求項１〜３の何れか１つに記載のテーブルタップ用ホルダー。
【請求項５】
テーブルタップ本体の表面には化粧カバーが着脱自在に取り付けられる凹部が形成され、この凹部の底に前記被係止部が設けられており、ホルダー本体におけるテーブルタップ本体との対向面には、テーブルタップ本体に取り付けた状態で前記凹部の外側に突出する部位に、前記凹部の深さ分だけ後退した段差を形成したことを特徴とする請求項１〜４の何れか１つに記載のテーブルタップ用ホルダー。
【請求項６】
前記ホルダー本体を、棒状の被取付部に吊り下げるための吊り具を保持する吊り具保持手段が設けられた吊り具取付部と、吊り具取付部に着脱自在に接続するための結合手段を有し、吊り具以外の取付部材を保持する保持手段と係止手段とが設けられたタップ取付部とで構成したことを特徴とする請求項１〜５の何れか１つに記載のテーブルタップ用ホルダー。
【発明の詳細な説明】
【０００１】
【発明の属する技術分野】
本発明は、テーブルタップ用ホルダーに関するものである。
【０００２】
【従来の技術】
従来より、図２５及び図２６に示すように、テーブルタップ本体を着脱自在に保持して、被取付部に取り付けるためのテーブルタップ用ホルダー１００が提供されている（例えば特許文献１参照）。
【０００３】
このテーブルタップ用ホルダー１００は、合成樹脂により細長の略平板状に形成されたホルダー本体１０１と、ホルダー本体１０１の長手方向の一端を除く周縁部に設けられて上方に突出する合成樹脂製のリブ支持壁１０２と、ホルダー本体１０１の左右両側部にあるリブ支持壁１０２の上側縁から互いに略対向して上方内側に突出するように形成された保持リブ１０３，１０３とを備えており、マグネットやねじなどの取付部材を用いて被取付部に固定されるようになっている。
【０００４】
このテーブルタップ用ホルダー１００は、図２５に示すようなテーブルタップ２００を保持することができる。このテーブルタップ２００は、扁平な直方体状に形成されたタップ本体２０１を有し、タップ本体２０１の前面には一対の栓刃挿入孔２０２を有するコンセント口２０３を２つ備えている。また、タップ本体２０１の長手方向一端面にもコンセント口２０３を１つ備え、コンセント口２０３が設けられていない他端面からは電源ケーブル２０４が導出されている。
【０００５】
そして、このテーブルタップ２００をホルダー本体１０１に保持させる時には、ホルダー本体１０１のリブ支持壁１０２が形成されていない一端側から、電源ケーブル２０４が導出される端部を先頭にしてタップ本体２０１を挿入する。そして、タップ本体２０１の電源ケーブル２０４が導出される周辺部がリブ支持壁１０２の凹部１０４周辺部に当接するまで、タップ本体２０１をテーブルタップ用ホルダー１００に挿入すると、タップ本体２０１がホルダー本体１０１とリブ支持壁１０２と保持リブ１０３，１０３とで囲まれる空間に納まり、保持リブ１０３，１０３によって支持される。この時、タップ本体２０１から導出された電源ケーブル２０４は、リブ支持壁１０２の凹部１０４から引き出されるように配置される。
【０００６】
【特許文献１】
特開２００１−１７６６２７号公報（段落番号［００１５］−［００２３］、及び、第１図、第６図）
【０００７】
【発明が解決しようとする課題】
上記構成のテーブルタップ用ホルダー１００では、テーブルタップ２００の外殻（タップ本体２０１）をホルダー本体１０１とリブ支持壁１０２と保持リブ１０３，１０３とで保持することによって、タップ本体２０１を保持させているので、図２６に示すような外形の異なるテーブルタップ２１０をテーブルタップ用ホルダー１００に装着させることができなかった。
【０００８】
また、リブ支持壁１０２の形状は、タップ本体２０１の外形に合わせて形成されているので、外形が対称でない限り、タップ本体２０１を逆向きにしてテーブルタップ用ホルダー１００に装着させることはできず、タップ本体２０１の装着方向が一方向に限定されてしまうという問題もあった。
【０００９】
本発明は上記問題点に鑑みて為されたものであり、その目的とするところは、外形の異なるテーブルタップも装着可能なテーブルタップ用ホルダーを提供することにある。また、請求項４の発明の目的とするところは、上記の目的に加えて、タップ本体の取付方向を２方向としたテーブルタップ用ホルダーを提供することにある。
【００１０】
【課題を解決するための手段】
上記目的を達成するために、請求項１の発明では、コンセント口を有するテーブルタップ本体を保持するホルダー本体に、テーブルタップ本体のホルダー本体が取着される部位に設けた被係止部と凹凸係止する係止手段を設けるとともに、ホルダー本体を被取付部に取り付けるための取付部材を保持する保持手段を設けて成ることを特徴とする。
【００１１】
請求項２の発明では、請求項１の発明において、被係止部はテーブルタップ本体に設けた係止孔からなり、係止手段は係止孔に対応するホルダー本体の部位に突設され、係止孔と係止する弾性係止片からなることを特徴とする。
【００１２】
請求項３の発明では、請求項１の発明において、被係止部はテーブルタップ本体に突設された弾性係止片からなり、係止手段は弾性係止片に対応するホルダー本体の部位に設けられて、弾性係止片と係止する係止孔からなることを特徴とする。
【００１３】
請求項４の発明では、請求項１〜３の何れか１つの発明において、ホルダー本体におけるテーブルタップ本体との対向面には１乃至複数対の係止手段が設けられ、対をなす係止手段は対向面上の中心点に対して対称な位置に配置され、中心点に対して対称な形状に形成されたことを特徴とする。
【００１４】
請求項５の発明では、請求項１〜４の何れか１つの発明において、テーブルタップ本体の表面には化粧カバーが着脱自在に取り付けられる凹部が形成され、この凹部の底に被係止部が設けられており、ホルダー本体におけるテーブルタップ本体との対向面には、テーブルタップ本体に取り付けた状態で凹部の外側に突出する部位に、凹部の深さ分だけ後退した段差を形成したことを特徴とする。
【００１５】
請求項６の発明では、請求項１〜５の何れか１つの発明において、ホルダー本体を、棒状の被取付部に吊り下げるための吊り具を保持する吊り具保持手段が設けられた吊り具取付部と、吊り具取付部に着脱自在に接続するための結合手段を有し、吊り具以外の取付部材を保持する保持手段と係止手段とが設けられたタップ取付部とで構成したことを特徴とする。
【００１６】
【発明の実施の形態】
本発明の実施の形態を図面に基づいて説明する。
【００１７】
（実施形態１）
本発明の実施形態１を図１〜図２２に基づいて説明する。
【００１８】
本実施形態のテーブルタップ用ホルダーは、図２（ａ）（ｂ）に示すように、後面が開口した細長略矩形箱状の合成樹脂製のホルダー本体１を備える。ホルダー本体１前面の裏側には、長手方向の一端部にねじ挿通孔２ａが形成された略円筒状のボス２が立設されている。このねじ挿通孔２ａはホルダー本体１を前後方向に貫通しており、前面側（テーブルタップとの対向面側）に大きな開口部を有している。
【００１９】
また、ホルダー本体１の長手方向の他端側には、棒状の被取付部に引っ掛けて取り付けるための取付部材たる吊り具５０を保持する吊り具保持部２０（吊り具保持手段）が形成されている。吊り具５０は、図２０に示すように略Ｃ字状に形成された引掛爪部５１と、引掛爪部５１の一端部から連続一体に延設されホルダー本体１に回転自在に取り付けられる丸棒状の軸部５２とで構成され、軸部５２の先端には軸部５２よりも径の大きい球状の大径部５３が連続一体に形成されている。
【００２０】
ホルダー本体１前面の長手方向他端側には、ホルダー本体１を前後方向に貫通する長孔３及び丸孔４と、長孔３，丸孔４間を連通する連通溝５とが形成されている。長孔３と丸孔４と連通溝５とはホルダー本体１の短幅方向における中心線上に配置され、連通溝５に対してねじ挿通孔２ａ側に長孔３が、反対側に丸孔４がそれぞれ形成されている。ここで、長孔３の幅および丸孔４の径は吊り具５０の大径部５３の径よりも大きい寸法に形成され、連通溝５の溝幅は大径部５３の径よりも小さい寸法に形成されている。
【００２１】
長孔３及び連通溝５の周縁部からは背面側に向かって略Ｕ字状の支持壁６が突出しており、支持壁６の両側片先端部の後縁は連通溝５の底壁７によって連結されている。長孔３の長径方向に沿った支持壁６の両側面にはそれぞれ内側に突出する係止リブ６ａが突設され、係止リブ６ａの前面側の端部には他の部位よりも突出量の大きい抜止突起６ｂが形成されている（図２１参照）。なお、一対の係止リブ６ａの間隔は大径部５３の径よりも小さく、且つ、一対の抜止突起６ｂの間隔よりも大きい寸法に形成されている。また、係止リブ６ａに対して連通溝５側の長孔３の幅寸法は、連通溝５と反対側の長孔３の幅寸法よりも若干幅狭に形成されている。また、底壁７には長孔３側に開放された幅狭のＵ字溝７ａが形成され、長孔３とＵ字溝７ａとでだるま孔形状のねじ挿通孔８が形成される。また、ホルダー本体１の長手方向他端側の側壁後縁には、短幅方向における略中央に後面側に開放されるＵ字状のスリット９が形成されている。ここに、ホルダー本体１の長手方向他端側に開口する長孔３、丸孔４、連通溝５及び支持壁６などで上記吊り具保持部２０が構成される。
【００２２】
また、ホルダー本体１前面の裏側におけるボス２と支持壁６との間の部位には、長手方向におけるボス２側の一端部に差込孔１１を有するリブ１０が突設され、他端部には先端縁の両側部に一対の爪１３，１３を有する弾性係止片１２が突設されている。そして、これらの差込孔１１及び爪１３，１３を用いて、磁性体からなる被取付部に磁着される後述のマグネット３０、又は、机などの板状の被取付部に取り付けるための後述の取付基台４０をホルダー本体１に着脱自在に取り付けることができる。尚、ホルダー本体１前面の裏側には、リブ１０と弾性係止片１２との間の部位に短幅方向に走る２条の隔壁１６，１６が突設されており、それぞれの隔壁１６にはマグネット３０や取付基台４０を逃がすための凹溝１６ａが形成されている。
【００２３】
また、ホルダー本体１におけるテーブルタップとの対向面内には、長手方向におけるねじ挿通孔２ａ側の一端部と長手方向略中間部の左右両側縁から４本の弾性係止片１４がそれぞれ突出し、各弾性係止片１４の先端には外側に向かって爪１５が突設されている。なお、ホルダー本体１の前面には、長手方向略中間部に設けた弾性係止片１４よりも長手方向他端側の部位に他の部位よりも背面側に後退した段差部１７を設けてある。
【００２４】
ところで、図３は本実施形態に保持させるテーブルタップ６０の一例を示しており、このテーブルタップ６０は扁平な直方体状に形成された合成樹脂成型品からなるタップ本体６１を有し、このタップ本体６１の長手方向に沿う一側面に一対の栓刃挿入口６３を有するコンセント口６２を２口備えるとともに、長手方向の一端部の端面にコンセント口６２を１口備え、さらに長手方向の他端部の端面から電源コード６４が導出されている。また、図１及び図８に示すようにタップ本体６１の上下面には化粧カバー７０が嵌る矩形状の凹部６５が形成されている。各凹部６５の底面には、長手方向の一端部の略中央に係止孔６６が１つ形成され、さらに長手方向の他端部と長手方向略中間部には係止孔６７が左右両側に２個ずつ形成されている。尚、係止孔６７は、ホルダー本体１を載置するタップ本体６１の面内においてホルダー本体１が取着される凹部６５内の部位（ホルダー本体１の前面１ａと当接する部位）に設けられている。
【００２５】
化粧カバー７０は合成樹脂により矩形板状に形成され、長手方向における一端部の後縁略中央には係止突片７１が突設され、長手方向における他端部及び略中間部の左右両側縁からは後方に向かって４本の弾性係止片７２が突設され、各弾性係止片７２の先端には外側に向かって係止爪７３が突設されている。而して、化粧カバー７０をタップ本体６１に取り付ける際には、化粧カバー７０の長手方向一端側に設けた係止突片７１をタップ本体６１の係止孔６６に差し込んだ後、化粧カバー７０の長手方向他端側を凹部６５側に押圧すると、化粧カバー７０の弾性係止片７２が係止孔６７内に挿入され、弾性係止片７２の先端に設けた係止爪７３が係止孔６７の周縁部と係止することで、化粧カバー７０がタップ本体６１に取り付けられる。一方、化粧カバー７０をタップ本体６１から取り外す際には、タップ本体６１の長手方向他端側に設けた凹部６８から化粧カバー７０とタップ本体６１との間にマイナスドライバのような工具の先端を挿入してこじることで、弾性係止片７２と係止孔６７との係止状態を解除して、化粧カバー７０を取り外すことができる。
【００２６】
そして、本実施形態のテーブルタップ用ホルダーにテーブルタップ６０を保持させるときには、先ずタップ本体６１から化粧カバー７０を外した状態で、ホルダー本体１に設けた弾性係止片１４と、タップ本体６１の凹部６５に形成した係止孔６７との位置を合わせて、ホルダー本体１をタップ本体６１側に押圧すると、弾性係止片１４が係止孔６７内に挿入され、弾性係止片１４の爪１５が係止孔６７の周縁部に係止することでホルダー本体１がタップ本体６１に取り付けられる。尚、弾性係止片１４の爪１５と係止孔６７とを係止させる際には、弾性係止片１４の弾性と、爪１５の先端に設けた傾斜面とで容易に係止できるようになっている。
【００２７】
このように本実施形態では、タップ本体６１のホルダー本体１が取着される部位に設けた係止孔６７と凹凸係止する弾性係止片１４（係止手段）をホルダー本体１に設けてあるので、ホルダー本体１が取着される部位に係止孔６７が設けられていれば、図９及び図１０に示すように外形の異なるテーブルタップ６０’，６０”でもホルダー本体１に保持させることができ、どのような外形のテーブルタップでも取付が可能である。また、弾性係止片１４の爪１５とタップ本体６１の係止孔６７との凹凸係止によってタップ本体６１をホルダー本体１に保持させているので、別途の部材を用いることなくホルダー本体１にタップ本体６１を保持させることができる。
【００２８】
また４本の弾性係止片１４は、タップ本体６１との対向面上の中心点に対して対称な位置に配置され、中心点に対して対称な形状に形成されているので、図４及び図６、図７に示すように吊り具保持部２０が形成された側の端部を電源コード６４が導出される周縁部と反対側に向けた状態でホルダー本体１をタップ本体６１に取り付けることもできるし、吊り具保持部２０が形成された側の端部を電源コード６４が導出される周縁部に向けた状態でもホルダー本体１をタップ本体６１に取り付けることができ、２方向の取付が可能となる。
【００２９】
ところで、係止孔６７が設けられた凹部６５の底面は、化粧カバー７０の厚み分だけタップ本体６１の表面よりも後退しているので、凹部６５とタップ本体６１表面との間には段差が生じている。また、４つの係止孔６７は凹部６５の底面において電源コード６４が導出される側の端部に寄せて配置されている。一方、ホルダー本体１の前面１ａには長手方向の一端部と中間部の左右両側縁に弾性係止片１４を設けてあるので、吊り具保持部２０が形成された他端部側は４つの係止孔６７で囲まれる取付スペースの外側にはみ出した状態でタップ本体６１に取り付けられる。
【００３０】
図６に示すように吊り具保持部２０が形成された側の端部が電源コード６４の導出される周縁部と反対側を向くようにして、ホルダー本体１をタップ本体６１に取り付ける場合、吊り具保持部２０が形成された側の端部は凹部６５内に突出するので、タップ本体６１の表面と凹部６５の底面との段差に干渉することなく取り付けることができる。一方、図７に示すように吊り具保持部２０が形成された側の端部が電源コード６４の導出される周縁部を向くようにして、ホルダー本体１をタップ本体６１に取り付ける場合は、ホルダー本体１の前面１ａが面一になっていると、ホルダー本体１の前面１ａがタップ本体６１の表面と凹部６５底面との段差に当たるために取り付けることができないが、本実施形態では吊り具保持部２０が形成された側の端部をホルダー本体１の前面よりも凹部６５の深さ分だけ後退させて段差部１７を形成しているので、図７及び図８に示すように吊り具保持部２０が形成された側の端部を電源コード６４が導出される周縁部側に向けてホルダー本体１をタップ本体６１に取り付けても、ホルダー本体１の対向面がタップ本体６１の表面の段差と干渉することなく取り付けることができる。
このように、ホルダー本体１におけるタップ本体６１との対向面には、タップ本体６１に取り付けた状態で凹部６５の外側に突出する部位に、少なくとも凹部の深さ分だけ後退した段差部１７を形成してあるので、タップ本体６１の表面と凹部６５の底面との段差に干渉することなく２方向の取り付けが可能となっている。
【００３１】
ところで、本実施形態のホルダー本体１は４通りの取付方法で被取付部に取り付けることが可能であり、各取付方法について以下に説明する。
【００３２】
まず、このホルダー本体１を被取付部にねじ止めする取付方法について説明する。上述のようにホルダー本体１には丸孔状のねじ挿通孔２ａとだるま孔状のねじ挿通孔８とが設けられており、これらのねじ挿通孔２ａ，８に例えば木ねじのような取付ねじ（図示せず）を挿通して、木製の被取付部に螺着することによって、ホルダー本体１を被取付部にねじ止めすることができる。ここに、ねじ挿通孔２ａ及び８から取付部材としての取付ねじを保持する保持手段が構成される。
【００３３】
次に、このホルダー本体１をマグネット３０で磁性体からなる被取付部に磁着させる取付方法について図１３〜図１６を参照して説明する。
【００３４】
マグネット３０は、図１３及び図１４に示すように、略矩形板状に形成された永久磁石からなるマグネット部材３１と、マグネット部材３１の磁力を効率良く利用するために磁性材料で略コ字状に形成され、マグネット部材３１の前面及び両側面を覆うようにしてマグネット部材３１に取り付けられたヨーク３２とで構成され、マグネット部材３１とヨーク３２とは貫通孔（図示せず）に挿通した鋲３５の先端をかしめることによって、結合されている。なお、鋲３５の頭部はマグネット部材３１の表面に設けた凹所３１ａに納まり、マグネット部材３１の表面から突出しないようになっている。また、ヨーク３２の中央片３２ａには長手方向一端部の略中央に係止突片３３が突設され、両側片３２ｂの長手方向他端部には係止爪３４がそれぞれ突設されている。尚、係止爪３４は、中央片３２ａから遠ざかるにつれて側方への突出量が徐々に大きくなるように傾斜している。
【００３５】
このマグネット３０をホルダー本体１に取り付ける際には、ヨーク３２の一端に設けた係止突片３３を、ホルダー本体１前面の裏側に突設したリブ１０の差込孔１１に差し込んで係止させた後、ヨーク３２の他端をホルダー本体１側に押圧すると、弾性係止片１２に設けた爪１３，１３の傾斜面が係止爪３４，３４の傾斜面で押圧される。この時、弾性係止片１２がマグネット３０と反対側へ弾性的に撓められ、係止爪３４，３４が爪１３，１３を乗り越えて、爪１３，１３と係止することで、マグネット３０がホルダー本体１に取り付けられる（図８参照）。尚、マグネット３０をホルダー本体１から取り外す際には、弾性係止片１２をマグネット３０と反対側に撓ませることによって、弾性係止片１２の爪１３，１３とヨーク３２の係止爪３４，３４との係止状態を解除することができ、マグネット３０を容易に取り外すことができる。
【００３６】
そして、マグネット３０がホルダー本体１に取り付けられている状態で、マグネット３０を磁性体からなる被取付部に磁着させることにより、ホルダー本体１を被取付部に取り付けることができる。なお、マグネット３０がホルダー本体１に取り付けられた状態では、図１５（ｂ）に示すようにマグネット３０の背面がホルダー本体１の背面と略面一になっているので、マグネット３０が面全体で被取付部と接触し、被取付部に強固に取り付けることができる。
【００３７】
次に、このホルダー本体１を取付基台４０を用いて机などの板状の被取付部に取り付ける取付方法について図１７〜図１９を参照して説明する。
【００３８】
取付基台４０は、板金に折り曲げ加工を施すことによって、ホルダー本体１に固定される矩形板状の上横片４２と、上横片４２に対向配置される下横片４３と、上横片４２及び下横片４３の間を連結する連結片４４とが連続一体に形成された断面略コ字形の取付金具４１と、取付金具４１の下横片４３に設けたねじ孔４３ａに螺合する締付ねじ４５と、締付ねじ４５のねじ部先端に取着される円盤状の押さえ板４６とで構成される。そして、上横片４２の先端部の両側縁には、ホルダー本体１の差込孔１１に挿入される係止爪４２ａが１個ずつ設けられ、さらに係止爪４２ａの両側にはホルダー本体１に設けた弾性係止片１２の爪１３とそれぞれ係止する係止爪４２ｂが２個ずつ設けられている。
【００３９】
而して、この取付金具４１をホルダー本体１に取り付ける際には、上横片４２の一側縁に設けた係止爪４２ａを、ホルダー本体１前面の裏側に突設したリブ１０の差込孔１１に差し込んで係止させた後、上横片４２の他側縁をホルダー本体１側に押し込むと、他側縁に設けた係止爪４２ｂ，４２ｂの傾斜面によってホルダー本体１に設けた弾性係止片１２の爪１３，１３の傾斜面が押圧される。この時、弾性係止片１２が上横片４２と反対側へ弾性的に撓み、係止爪４２ｂ，４２ｂが爪１３，１３を乗り越えて、爪１３，１３と係止することで、取付金具４１がホルダー本体１に取り付けられる。一方、取付金具４１をホルダー本体１から取り外す際は、弾性係止片１２を上横片４２と反対側に撓ませることで、弾性係止片１２の爪１３，１３と係止爪４２ｂ，４２ｂとの係止状態を解除することができ、取付金具４１を容易に取り外すことができる。尚、上横片４２の先端部の両側縁には中心線を挟んで対称な位置に係止爪４２ａと係止爪４２ｂ，４２ｂとが形成されているので、一方の辺に設けた係止爪４２ａと他方の辺に設けた係止爪４２ｂ，４２ｂの組を用いるか、或いは、他方の辺に設けた係止爪４２ａと一方の辺に設けた係止爪４２ｂ，４２ｂの組を用いるかによって、ホルダー本体１に対する取付基台４０の取付方向を変更することができる。
【００４０】
そして、この取付基台４０を用いてホルダー本体１を机のような板状の被取付部に取り付ける場合は、取付金具４１の上横片４２と締付ねじ４５の先端の押さえ板４６とで机の天板の縁部や脚を両側から挟み、締付ねじ４５の摘み部４５ａを回転させて締め付けることで、取付基台４０（すなわちホルダー本体１）を机に締付け固定できるようになっている。ここで、図１８（ｄ）に示すように被取付部と当接する上横片４２の面（背面）とホルダー本体１における被取付部との対向面（背面）とは略同じ高さとなっており、上横片４２とホルダー本体１の背面とが被取付部に当接するので、被取付部との接触面積が増えて、より強固に取り付けることができる。尚、ホルダー本体１の長手方向に沿う両側壁の周縁部には上横片４２を逃がすための凹部１ｂが形成されている。
【００４１】
ここに、リブ１０の差込孔１１と弾性係止片１２の爪１３とで、取付部材としてのマグネット３０或いは取付基台４０を保持する保持手段が構成される。
【００４２】
次に、このホルダー本体１を吊り具５０を用いて棒状の被取付部に引っ掛けて取り付ける取付方法について図２０〜図２２を参照して説明する。
【００４３】
吊り具５０をホルダー本体１に取り付ける際には、先ずホルダー本体１の斜め後方から吊り具５０の大径部５３をスリット９及び丸孔４に通して、軸部の先端（大径部５３）をホルダー本体１の前面側に突出させる。そして、図２１（ａ）（ｂ）に示すように吊り具５０の引掛爪部５１側を前方に倒して、大径部５３を長孔３の幅広部に挿入した後、吊り具５０を図中上側に引っ張ると、大径部５３が支持壁６の両側面に設けた係止リブ６ａを乗り越えて、長孔３の幅狭部に挿入され、吊り具５０の下方への移動が規制される。また、連通溝５の幅寸法は大径部５３の径よりも小さい寸法に形成されているので、ホルダー本体１の長手方向において吊り具５０の大径部５３が係止リブ６ａと連通溝５との間に保持される。また、吊り具５０の軸部５２及び大径部５３が、それぞれ、係止リブ６ａの前端部に設けた抜止突起６ｂおよびスリット９の前面側にある枠部１ｃに当接するとともに、軸部５２が連通溝５の底壁７に当接することによって、吊り具５０がホルダー本体１の前後方向において位置決めされ、ホルダー本体１に回動自在に取り付けられる。
【００４４】
そして、ホルダー本体１に吊り具５０を取り付けた状態で例えば物干し竿のような被取付部に吊り具５０を引っ掛けることにより、テーブルタップ（ホルダー本体１）を被取付部に引っ掛けて取り付けることができる。この時、ホルダー本体１にかかる荷重によって吊り具５０の大径部５３が連通溝５に押し付けられ、ホルダー本体１の長手方向において吊り具５０がホルダー本体１に確実に位置決めされるのである。
【００４５】
以上のように本実施形態では、ホルダー本体１のねじ挿通孔２ａ，８に取付ねじを挿通して例えば木製などの被取付部に螺着することで、テーブルタップ用ホルダーを木製などの被取付部にねじ止めすることができる。また、ホルダー本体１の背面にマグネット３０を取り付けることで、マグネット３０の磁着により例えば取付用ねじを螺着することができなかった冷蔵庫などの磁性体からなる被取付部にもテーブルタップ用ホルダーを取り付けて、テーブルタップを固定させることができる。また、ホルダー本体１の背面に取付基台４０を取り付け、取付基台４０の上横片４２と締付ねじ４５の押さえ板４６との間に机などの板状の被取付部を挟んで締め付けることにより、板状の被取付部にもテーブルタップ用ホルダーを取り付けて、テーブルタップを固定させることができ、さらにホルダー本体１に吊り具５０を取り付け、この吊り具５０を棒状の被取付部に引っ掛けることによって、棒状の被取付部にもテーブルタップ用ホルダーを取り付けることができる。
【００４６】
尚、本実施形態ではホルダー本体１に設けた弾性係止片１４の爪１５を、タップ本体６１に設けた係止孔６７の周縁部に係止させることで、タップ本体６１をホルダー本体１に保持させているが、図１１及び図１２に示すようにホルダー本体１の前面に弾性係止片１４の代わりに係止孔１８を４箇所形成するとともに、タップ本体６１の凹部６５の底面において、係止孔１８に対応する位置に弾性係止片６９を４本突設し、弾性係止片６９の先端に設けた爪６９ａをホルダー本体１の係止孔１８の周縁部に係止させることで、タップ本体６１をホルダー本体１に保持させても良く、この場合は弾性係止片１４の高さ分だけホルダー本体１の高さ寸法をＨ１からＨ２に低くでき、ホルダー本体１の外形寸法を小さくできる。
【００４７】
（実施形態２）
本発明の実施形態２を図２３及び図２４に基づいて説明する。実施形態１ではホルダー本体１に吊り具５０を保持する吊り具保持部２０を一体に設けているが、本実施形態では、棒状の被取付部に吊り下げるための吊り具５０を保持する吊り具保持部２０が設けられた合成樹脂成型品の吊り具取付部２２と、吊り具取付部２２に着脱自在に接続するための結合手段を有し、吊り具５０以外の取付部材を保持する保持手段とタップ本体６１の被係止部に係止する係止手段とが設けられた合成樹脂成型品のタップ取付部２１とでホルダー本体１’を構成している。
尚、タップ本体６１に設けた被係止部と凹凸係止する係止手段や、ホルダー本体１’を被取付部に取り付ける取付部材を保持する保持手段の構成は実施形態１と略同様であるので、共通する構成要素には同一の符号を付して、その説明は省略する。
【００４８】
タップ取付部２１は吊り具取付部２２との対向面及び背面が開口した略矩形箱状であって、タップ取付部２１の前面１ａ（タップ本体６１との対向面）には先端に爪１５が形成された弾性係止片１４（係止手段）が四隅に形成されている。
また、タップ取付部２１の前面１ａの裏側には、長手方向における吊り具取付部２２と反対側の一端部にねじ挿通孔２ａが形成された略円筒状のボス２が立設されている。このねじ挿通孔２ａはホルダー本体１を前後方向に貫通しており、前面側（テーブルタップとの対向面側）に大きな開口部を有している。また、タップ取付部２１の前面１ａの裏側には、長手方向における他端部に先端縁の両側部に一対の爪１３，１３を有する弾性係止片１２が突設され、弾性係止片１２と対向する位置に差込孔１１を有するリブ１０が突設されている。また、弾性係止片１２には２つの結合孔２１ａが短幅方向に並べて形成されている。
【００４９】
而して、これらの差込孔１１及び爪１３，１３を用いて、磁性体からなる被取付部に磁着される上記のマグネット３０、又は、机などの板状の被取付部に取り付けるための上記の取付基台４０をホルダー本体１に着脱自在に取り付けることができる。尚、タップ取付部２１の長手方向に沿う両側壁の周縁部には取付基台４０の上横片４２を逃がすための凹部１ｂが形成されている。ここに、ねじ挿通孔２ａから取付部材としての取付ねじを保持する保持手段が構成される。また、リブ１０の差込孔１１と弾性係止片１２の爪１３とで、取付部材としてのマグネット３０或いは取付基台４０を保持する保持手段が構成される。
【００５０】
一方、吊り具取付部２２は背面が開口した略矩形箱状であって、棒状の被取付部に引っ掛けて取り付けるための吊り具５０を保持する吊り具保持部２０やだるま孔形状のねじ挿通孔８が形成されている。なお、吊り具保持部２０やねじ挿通孔８の構成は実施形態１と同様であるので、図示及び説明は省略する。
【００５１】
また、吊り具取付部２２におけるタップ取付部２１との対向面には、各結合孔２１ａと係止する結合爪２２ａが２つ突設されており、結合爪２２ａを結合手段たる結合孔２１ａと係止させることで、吊り具取付部２２とタップ取付部２１とを着脱自在に結合することができる。
【００５２】
このように、本実施形態では吊り具以外の取付部材を保持する保持手段と、タップ本体６１の被係止部に係止する係止手段とが設けられたタップ取付部２１に対して、吊り具保持部２０が形成された吊り具取付部２２を着脱自在としているので、吊り具５０を使用しない時にはタップ取付部２１のみをタップ本体６１に取り付けて、被取付部にタップ本体６１を固定すれば良く、タップ本体６１を被取付部に取り付けるためのホルダーを小型にできる。
【００５３】
尚、本実施形態ではタップ取付部２１側に結合孔２１ａを形成するとともに、吊り具取付部２２側に結合爪２２ａを形成しているが、タップ取付部２１に設けた結合爪に結合する結合孔を吊り具取付部２２に設けて、タップ取付部２１と吊り具取付部２２とを着脱自在に結合しても良いことは言うまでもない。
【００５４】
【発明の効果】
上述のように、請求項１の発明は、コンセント口を有するテーブルタップ本体を保持するホルダー本体に、テーブルタップ本体のホルダー本体が取着される部位に設けた被係止部と凹凸係止する係止手段を設けるとともに、ホルダー本体を被取付部に取り付けるための取付部材を保持する保持手段を設けて成ることを特徴とし、テーブルタップ本体のホルダー本体が取着される部位に設けた被係止部と凹凸係止する係止手段をホルダー本体に設けているので、ホルダー本体が取着される部位に被係止部が設けられていれば、どのような形状のテーブルタップ本体にもホルダー本体を取り付けることができ、ホルダー本体の保持手段に保持された取付部材を用いてテーブルタップ本体を被取付部に取り付けることができる。
【００５５】
請求項２の発明は、請求項１の発明において、被係止部はテーブルタップ本体に設けた係止孔からなり、係止手段は係止孔に対応するホルダー本体の部位に突設され、係止孔と係止する弾性係止片からなることを特徴とし、別途の部材を用いることなくテーブルタップ本体にホルダー本体を取り付けることができる。
【００５６】
請求項３の発明は、請求項１の発明において、被係止部はテーブルタップ本体に突設された弾性係止片からなり、係止手段は弾性係止片に対応するホルダー本体の部位に設けられて、弾性係止片と係止する係止孔からなることを特徴とし、別途の部材を用いることなくテーブルタップ本体にホルダー本体を取り付けることができ、且つホルダー本体側に係止孔を設けているので、ホルダー本体に弾性係止片を突設する場合に比べてホルダー本体の外形寸法を小さくできる。
【００５７】
請求項４の発明は、請求項１〜３の何れか１つの発明において、ホルダー本体におけるテーブルタップ本体との対向面には１乃至複数対の係止手段が設けられ、対をなす係止手段は対向面上の中心点に対して対称な位置に配置され、中心点に対して対称な形状に形成されたことを特徴とし、対をなす係止手段が中心点に対して対称な位置に配置され、中心点に対して対称な形状に形成されているので、テーブルタップ本体に対するホルダー本体の取付方向を２方向から選択できる。
【００５８】
請求項５の発明は、請求項１〜４の何れか１つの発明において、テーブルタップ本体の表面には化粧カバーが着脱自在に取り付けられる凹部が形成され、この凹部の底に被係止部が設けられており、ホルダー本体におけるテーブルタップ本体との対向面には、テーブルタップ本体に取り付けた状態で凹部の外側に突出する部位に、凹部の深さ分だけ後退した段差を形成したことを特徴とし、段差を形成することでタップ本体の表面と凹部の底との段差に当たることなく、ホルダー本体をテーブルタップ本体に取り付けることができる。
【００５９】
請求項６の発明は、請求項１〜５の何れか１つの発明において、ホルダー本体を、棒状の被取付部に吊り下げるための吊り具を保持する吊り具保持手段が設けられた吊り具取付部と、吊り具取付部に着脱自在に接続するための結合手段を有し、吊り具以外の取付部材を保持する保持手段と係止手段とが設けられたタップ取付部とで構成したことを特徴とし、吊り具保持手段が設けられた吊り具取付部をタップ取付部と別体に形成しているので、吊り具以外の取付部材を用いる場合はタップ取付部のみをテーブルタップ本体に取り付けて使用すれば良く、ホルダーの大きさを小さくできる。
【図面の簡単な説明】
【図１】実施形態１のテーブルタップ用ホルダーにテーブルタップを保持させる前の状態の分解斜視図である。
【図２】同上を示し、（ａ）は前方から見た外観斜視図、（ｂ）は後方から見た外観斜視図である。
【図３】同上に保持されるテーブルタップの外観斜視図である。
【図４】同上にテーブルタップを保持させる前の状態の分解斜視図である。
【図５】同上にテーブルタップを保持させる前の状態の分解斜視図である。
【図６】同上にテーブルタップを保持させた状態の外観斜視図である。
【図７】同上にテーブルタップを逆向きに保持させた状態の外観斜視図である。
【図８】同上にテーブルタップを保持させた状態の断面図である。
【図９】同上に別のテーブルタップを保持させる前の状態の分解斜視図である。
【図１０】同上にまた別のテーブルタップを保持させる前の状態の分解斜視図である。
【図１１】同上の別のテーブルタップ用ホルダーにテーブルタップを保持させる前の状態の分解斜視図である。
【図１２】同上の別のテーブルタップ用ホルダーを示し、（ａ）は正面図、（ｂ）は側面図である。
【図１３】実施形態１のテーブルタップ用ホルダーにマグネットを取り付ける前の状態の分解斜視図である。
【図１４】同上に用いるマグネットの外観斜視図である。
【図１５】同上にマグネットを取り付けた状態を示し、（ａ）は正面図、（ｂ）は側面図、（ｃ）は背面図、（ｄ）は下面図である。
【図１６】同上にマグネットを取り付けた状態を示し、（ａ）は表面側から見た外観斜視図、（ｂ）は裏面側から見た外観斜視図である。
【図１７】同上に取付基台を取り付ける前の状態の分解斜視図である。
【図１８】同上に取付基台を取り付けた状態を示し、（ａ）は正面図、（ｂ）は上面図、（ｃ）は下面図、（ｄ）は側面図である。
【図１９】同上に取付基台を取り付けた状態を示し、（ａ）は表面側から見た外観斜視図、（ｂ）は裏面側から見た外観斜視図である。
【図２０】同上に吊り具を取り付ける前の状態の分解斜視図である。
【図２１】同上に吊り具を取り付けた状態を示し、（ａ）は正面図、（ｂ）は側面図、（ｃ）は背面図、（ｄ）は下面図である。
【図２２】同上に吊り具を取り付けた状態を示し、（ａ）は表面側から見た外観斜視図、（ｂ）は裏面側から見た外観斜視図である。
【図２３】実施形態２のテーブルタップ用ホルダーを示し、（ａ）は分解斜視図、（ｂ）は外観斜視図である。
【図２４】同上にテーブルタップを保持させた状態の外観斜視図である。
【図２５】従来のテーブルタップ用ホルダーにテーブルタップを保持させた状態の斜視図である。
【図２６】同上へのテーブルタップの取付を説明する説明図である。
【符号の説明】
１    ホルダー本体
２ａ，８  ねじ挿通孔
１０  リブ
１１  差込孔
１２  弾性係止片
１３  爪
１４  弾性係止片
２０  吊り具保持部
６１  タップ本体
６７  係止孔
【図１】
2004221034.tif 000003
【図２】
2004221034.tif 000004
【図３】
2004221034.tif 000005
【図４】
2004221034.tif 000006
【図５】
2004221034.tif 000007
【図６】
2004221034.tif 000008
【図７】
2004221034.tif 000009
【図８】
2004221034.tif 000010
【図９】
2004221034.tif 000011
【図１０】
2004221034.tif 000012
【図１１】
2004221034.tif 000013
【図１２】
2004221034.tif 000014
【図１３】
2004221034.tif 000015
【図１４】
2004221034.tif 000016
【図１５】
2004221034.tif 000017
【図１６】
2004221034.tif 000018
【図１７】
2004221034.tif 000019
【図１８】
2004221034.tif 000020
【図１９】
2004221034.tif 000021
【図２０】
2004221034.tif 000022
【図２１】
2004221034.tif 000023
【図２２】
2004221034.tif 000024
【図２３】
2004221034.tif 000025
【図２４】
2004221034.tif 000026
【図２５】
2004221034.tif 000027
【図２６】
2004221034.tif 000028